(57)【要約】      （修正有）【課題】無線電力伝送模型を提供する。【解決手段】充電台および機能モジュールを含む。充電台は無線エネルギ伝送制御回路と、無線エネルギ伝送制御回路と接続される充電電池と、機能モジュールと無線により接続される送信コイルとを含み、充電電池は電池充電回路を介して外部電源と接続される。機能モジュールは機能部品と、機能部品と接続され、送信コイルと無線接続される受信コイルとを含む。本考案で実施する無線電力伝送技術は、消費電力が低く、面積が大きい電源供給台と、体積が小さく、電源を内蔵する必要がない１つの機能モジュールとを新たに製造した。考案はおもちゃおよび模型展示製品内に応用することができ、製品の設計にさらに柔軟性を持たせる。電池／電力伝送設計を内蔵する必要はなく、製品をより小型化し、また長時間使用することができ、長時間の充電により生じる過熱および爆発などの潜在的危険をさらに防止した。【選択図】図１
0003206619.tif 000002
【実用新案登録請求の範囲】
【請求項１】
無線電力伝送模型であって、充電台および機能モジュールを含み、前記充電台が無線エネルギ伝送制御回路と、前記無線エネルギ伝送制御回路と接続される充電電池と、機能モジュールと無線により接続される送信コイルと、を含み、前記充電電池が電池充電回路を介して外部電源と接続され、前記機能モジュールが機能部品と、前記機能部品と接続され、前記送信コイルと無線接続される受信コイルと、を含むことを特徴とする無線電力伝送模型。
【請求項２】
前記機能部品がＬＥＤランプ、ブザーまたは小型モータであることを特徴とする、請求項１に記載の無線電力伝送模型。
【請求項３】
前記機能部品が前記受信コイルと取外し可能に接続されることを特徴とする、請求項１に記載の無線電力伝送模型。
【請求項４】
前記充電台と接続される前記機能モジュールの数が１〜４であることを特徴とする、請求項１に記載の無線電力伝送模型。
【請求項５】
前記充電台の電池充電回路が、ＵＳＢコネクタを介して外部電源と接続されることを特徴とする、請求項１に記載の無線電力伝送模型。
【考案の詳細な説明】
【技術分野】
【０００１】
本考案は模型展示分野に関し、特に無線電力伝送模型に関する。
【背景技術】
【０００２】
現在のおもちゃおよび模型製品には、ＬＥＤランプ／ブザー／小型モータなどの機能モジュールが内蔵されており、採用される電力伝送方式はいずれも乾電池／充電／電源に接続する方式である。乾電池の使用における欠点は定期的に交換する必要がある、環境に優しくない、幼児が電池を誤飲する機会がある、である。充電の使用における欠点は、時間がかかるが電力伝送時間は短い、電池が劣化して電力が減衰する、長時間の充電により過熱して爆発することがある、である。電源への接続を使用することにおける欠点は、製品の使用距離が制限されることである。
【考案の概要】
【考案が解決しようとする課題】
【０００３】
本考案の実施例が解決しようとする技術的問題は、おもちゃおよび模型製品内に無線電力伝送技術を利用し、機能モジュールに電力を伝送する無線電力伝送模型を提供することである。
【課題を解決するための手段】
【０００４】
前記無線電力伝送模型は、充電台および機能モジュールを含む。前記充電台は無線エネルギ伝送制御回路と、前記無線エネルギ伝送制御回路と接続される充電電池と、機能モジュールと無線により接続される送信コイルとを含み、前記充電電池は電池充電回路を介して外部電源と接続される。前記機能モジュールは機能部品と、前記機能部品と接続され、前記送信コイルと無線接続される受信コイルと、を含む。
【０００５】
本技術案のさらなる改良として、前記充電台と接続される前記機能モジュールの数は１〜４である。
前記機能部品はＬＥＤランプ、ブザーまたは小型モータである。
前記機能部品は前記受信コイルと取外し可能に接続される。
前記充電台の電池充電回路は、ＵＳＢコネクタを介して外部電源と接続される。
【考案の効果】
【０００６】
本考案の実施例を実施すると、以下の有益な効果を有する。
本考案で実施する無線電力伝送技術は、消費電力が低く、面積が大きい電源供給台と、体積が小さく、電源を内蔵する必要がない１つの機能モジュールとを新たに製造した。考案はおもちゃおよび模型製品内に応用することができ、製品の設計にさらに柔軟性を持たせる。電池／電力伝送設計を内蔵する必要はなく、製品をより小型化し、また長時間使用することができる。無線電力伝送方式は、１つより多い対象に同時に電力を伝送することができ（最多４個）、電力伝送範囲内で製品を思うままに置くことができ、光源は途絶えず、衰えることはない。
【図面の簡単な説明】
【０００７】
【図１】図１は、本考案の実施例の構造回路図である。
【図２】図２は、本考案の実施例の構造概要図である。
【図３】図３は、本考案の実施例における機能モジュールの構造概要図である。
【考案を実施するための形態】
【０００８】
本考案の目的、技術案および利点をより明確にするため、以下に、図を組み合わせて、本考案についてさらに詳細に記載する。
【０００９】
本考案の実施例における無線電力伝送模型は、充電台および機能モジュールを含む。充電台は無線エネルギ伝送制御回路と、無線エネルギ伝送制御回路と接続される充電電池と、機能モジュールと無線により接続される送信コイルとを含み、充電電池は電池充電回路を介して外部電源と接続される。機能モジュールはＬＥＤランプと、ＬＥＤランプと接続され、無線接続の方式により送信コイルと接続される受信コイルとを含む。機能部品はＬＥＤランプ、ブザーまたは小型モータであり、展示した模型に対して光を発する、音声を発する、および駆動するなどの各機能を果たす。充電台と接続される前記機能モジュールの数は１〜４であり、各種機能を同時に達成することにより、各種の予想される効果が生じる。さらに、前記機能部品は前記受信コイルと取外し可能に接続されており、機能部品を必要に応じて変更する。充電台の電池充電回路は、ＵＳＢコネクタを介して外部電源と接続される。
【００１０】
無線電力伝送の電子基板の機能を記載する。
外部電源が入力されると、電源ＩＣが適当な電圧に処理、調整して、使用する準備をし、さらに充電回路に分流して使用する。充電ＩＣは充電を行う電池の二次電池に対してイネーブルを管理する。
【００１１】
外部電源の入力が中断されると、リアルタイムで電源をコイルに提供する制御回路が使用される。電源調整ＩＣおよび電池はいずれも、無線電力伝送する制御ＩＣに電気エネルギを供給する。
【００１２】
無線電力伝送コイルのＩＣを電力伝送コイルの制御ＩＣとし、無線電力伝送コイルに対して、出力する電気エネルギを制御する。これにより正確な電圧、電流を出力する。また適した電圧発振により電気エネルギを無線エネルギ伝送コイルに提供する。
【００１３】
本考案の無線電力伝送技術は、電源供給台を利用して、直接製品に電力を伝送する。製品にいかなる電池または変圧装置も内蔵する必要はなく、複雑な内蔵回路を製品に配置せず、超小型の構造により製品設計にさらに柔軟性を持たせる。電源供給台は５Ｖ  ＵＳＢを使用しており、消費電力が低く、広く普及している使用案を提供する。電力伝送範囲内で（最多４個の）独立した機能モジュールに電力を伝送し、各モジュールを電力伝送範囲内で思うままに置くことができる。機能モジュールの機能のオンオフは電源供給台との接触である。機能モジュールは回路配線の設計をする必要はなく、製品の体積を大幅に縮小させる。
【００１４】
本考案の実施例における無線電力伝送ＬＥＤランプの無線電力伝送技術は、消費電力が低く、面積が大きい電源供給台と、体積が小さく、電源を内蔵する必要のない１つの機能モジュールを新たに製造した。考案はおもちゃおよび模型製品内に応用することができ、製品設計にさらに柔軟性を持たせる。電池／電力伝送設計を内蔵する必要はなく、製品をより小型化し、また長時間使用することができる。無線電力伝送方式は、１つより多い対象に同時に電力を伝送することができ（最多４個）、電力伝送範囲内で製品を思うままに置くことができ、光源は途絶えず、衰えることはない。
【００１５】
以上の開示は本考案の好ましい実施例に過ぎず、当然これにより本考案の権利範囲を限定することはできない。したがって、本考案の実用新案登録請求の範囲に基づいて行われる同等の変更は、本考案が包含する範囲に属する。
【図１】
0003206619.tif 000003
【図２】
0003206619.tif 000004
【図３】
0003206619.tif 000005